(57)【要約】【課題】いずれの位置にある床材でも、他の床材の固定を解除することなく固定解除および再固定可能な固定金具を提供することを目的としている。【解決手段】固定部１１が、無負荷状態で立ち上がり部１２の上端同士が下端より近づいた状態となるように下方に凸の湾曲形状をしていて、固定ねじ４のねじ込みによってねじ挿通孔１１ａの周縁部が根太３との間で挟着されたとき、根太３の上面に沿うように弾性変形して係止部１３が床材２の凹溝部２１内に入り込むとともに、凹溝部２１の下側壁を根太３との間で弾性係止するように形成した。【選択図】  図４
2011069155.tif 000002
【特許請求の範囲】
【請求項１】
ねじ挿通孔を有し、このねじ挿通孔を介して下地材に固定ねじをねじ込むことによってねじ頭部によってねじ挿通孔の周縁部を下地との間で挟着される板状をした固定部と、
この固定部の両側から立ち上がる２つの立ち上がり部と、
立ち上がり部の上端から他方の立ち上がり部から遠ざかる方向に延出し、立ち上がり部に沿うように下地材上に載置された床材の側面に設けられた凹溝部に嵌り込み、前記凹溝部の壁面を下地材との間で弾性係止して床材の端部を固定する係止部とを備える床材の固定金具において、
前記固定部は、無負荷状態で前記立ち上がり部の上端同士が下端より近づいた状態となるように下方に凸の湾曲形状をしていて、固定ねじのねじ込みによってねじ挿通孔の周縁部が下地との間で挟着されたとき、下地面に沿うように弾性変形して前記係止部が凹溝部内に入り込むとともに、凹溝部の壁面を下地材との間で弾性係止するように形成されていることを特徴とする固定金具。
【請求項２】
係止部は、凹溝部の壁面に食い込む突部を備えている請求項１に記載の固定金具。
【発明の詳細な説明】
【技術分野】
【０００１】
本発明は、根太等の下地材上に並設して設けた床材を下地材に固定するために用いる固定金具に関する。
【背景技術】
【０００２】
例えば、バルコニー床の形成に用いられるデッキ材とも称される床材の取り付け方法は、一定の目地幅を設けた状態で一定の間隔に配置された下地材としての根太に下方から受けられるとともに、根太に固定される。
上記床材の根太への固定方法としては、ビスを直接床板に打ち込んで固定する方法や固定金具を用いる方法が一般的である。
【０００３】
しかしながら、ビス固定は施工が簡単であるが、施工後もビスが直接見える場所にあるため、外観を損ねるということで現在では固定金具を用いた施工が主流となっている。
【０００４】
一方、固定金具としては、例えば、図６に示すような幅方向の両側面に凹溝部１１０を備えた床材１００の場合、図６及び図７に示すような固定金具２００が用いられている（特許文献１参照）。
この固定金具２００は、図７に示すように、ステンレス鋼などで形成されていて、固定部２１０と、立ち上がり部２２０と、係止部２３０とを備えている。
【０００５】
固定部２１０は、中央にねじ挿通孔２１１が穿設された板状をしている。
立ち上がり部２２０は、固定部２１０の両側から対面するように立ち上がっている。
係止部２３０は、両立ち上がり部２２０の上端から他方の立ち上がり部２２０から離れるように延出するように設けられていて、水平部２３１と、この水平部２３１の先端から折れ曲がる折れ曲がり部２３２とを備えている。
【０００６】
そして、床材１００を下地としての根太３００上に敷き並べるとともに、この固定金具２００を用いて根太３００に固定してバルコニー床等を形成する方法は、以下のようになっている。
（１）最も端に配置される床材１００を根太３００上に載置するとともに、固定金具２００をこの載置された床材１００の凹溝部１１０に一方の係止部２３０が嵌り込むとともに、凹溝部１１０より下側の側面と一方の立ち上がり部２２０とが略当接するように配置したのち、ねじ挿通孔２１１越しに固定部２１０の上方から固定ねじ４００をねじ込む。
すなわち、固定ねじ４００のねじ込みによって、固定部２１０のねじ挿通孔２１１の周囲がねじ頭部と根太３００との間で挟み込まれ、固定金具２００が根太３００に固定される。また、床材１００が、凹溝部１１０内に嵌り込んだ係止部２３０の水平部２３１が、その弾性力によって、水平部２３１と根太３００との間で凹溝部１１０の下側壁が挟み込まれ、床材１００の一方の側縁部が根太３００上に固定される。
（２）隣接して配置される床材１００を、その凹溝部１１０の下側壁が固定された固定金具２００の他方の係止部２３０の水平部２３１の下方に嵌り込むように根太３００上に載置する。
これにより隣接して配置される床材１００の一方の側縁部が根太３００に固定される。
（３）上記（１）と同様の、固定金具２００の固定作業と、上記（２）と同様の、隣接して配置される床材１００の根太３００への載置作業をつぎつぎに繰り返してバルコニー床等を完成する。
【先行技術文献】
【特許文献】
【０００７】
【特許文献１】特開２００４−２７７２４号公報
【発明の概要】
【発明が解決しようとする課題】
【０００８】
しかし、上記固定金具２００では、床材１００を根太３００の長軸方向の一方から他方に向かって順番に取り付けを行うようになっていることから、取り外し時には取り付けた方向と逆から順に外していく必要がある。そのため、床材１００と床材１００との目地部分にものを落とし、落としたものを目地部分から取り出せない場合や、破損によって床材１００の１つを交換する必要が生じた場合でも、対象となる目地部分の床材１００や、交換が必要な床材１００に達するまで、端から順次床材１００を取り外していく必要がある。したがって、作業に手間がかかるとともに、時間も費やすこととなる。
【０００９】
本発明は、上記事情に鑑みて、いずれの位置にある床材でも、他の床材の固定を解除することなく固定解除および再固定可能な固定金具を提供することを目的としている。
【課題を解決するための手段】
【００１０】
上記目的を達成するために、本発明にかかる固定金具は、ねじ挿通孔を有し、このねじ挿通孔を介して下地材に固定ねじをねじ込むことによってねじ頭部によってねじ挿通孔の周縁部を下地との間で挟着される板状をした固定部と、この固定部の両側から立ち上がる２つの立ち上がり部と、立ち上がり部の上端から他方の立ち上がり部から遠ざかる方向に延出し、立ち上がり部に沿うように下地材上に載置された床材の側面に設けられた凹溝部に嵌り込み、前記凹溝部の壁面を下地材との間で弾性係止して床材の端部を固定する係止部とを備える床材の固定金具において、前記固定部は、無負荷状態で前記立ち上がり部の上端同士が下端より近づいた状態となるように下方に凸の湾曲形状をしていて、固定ねじのねじ込みによってねじ挿通孔の周縁部が下地との間で挟着されたとき、下地面に沿うように弾性変形して前記係止部が凹溝部内に入り込むとともに、凹溝部の壁面を下地材との間で弾性係止するように形成されていることを特徴としている。
【００１１】
本発明において、係止部は、凹溝部の壁面に食い込む突部を備えている構成としてもよい。
突部の形状は、特に限定されないが、平板状、三角形、鋸歯状等が挙げられる。
【００１２】
本発明の固定金具の材質は、本発明の目的を達成できれば、特に限定されないが、ばね鋼、ステンレス鋼等を用いることが好ましい。
固定金具の大きさは任意であるが、金具厚み０．５〜１mm、固定部幅１５mm、押圧部２〜７mmが望ましい。
また、固定部の湾曲形状は、特に限定されないが、曲率半径１０〜３０mm程度が望ましい。
【００１３】
固定部の固定に用いる固定ねじとしては、特に限定されないが、例えば、ナベ型、皿型のビスや、六角ボルトが挙げられ、固定を強固にしたい場合には六角ボルトが好ましい。
また、固定にあたっては、固定ねじのねじ頭部と固定部との間にワッシャ等の座金を介在させるようにしても構わない。
【００１４】
また、本発明の固定金具によって固定される床材としては、特に限定されないが、例えば、合成樹脂、無機材料、木材、これらの複合材料等からなるものが挙げられるが、ポリプロピレン等の熱可塑性樹脂に木粉を混合した樹脂組成物を押出成形等によって成形した合成木材が好適である。
【発明の効果】
【００１５】
以上のように、本発明にかかる固定金具は、ねじ挿通孔を有し、このねじ挿通孔を介して下地材に固定ねじをねじ込むことによってねじ頭部によってねじ挿通孔の周縁部を下地との間で挟着される板状をした固定部と、この固定部の両側から立ち上がる２つの立ち上がり部と、立ち上がり部の上端から他方の立ち上がり部から遠ざかる方向に延出し、立ち上がり部に沿うように下地材上に載置された床材の側面に設けられた凹溝部に嵌り込み、前記凹溝部の壁面を下地材との間で弾性係止して床材の端部を固定する係止部とを備える床材の固定金具において、前記固定部は、無負荷状態で前記立ち上がり部の上端同士が下端より近づいた状態となるように下方に凸の湾曲形状をしていて、固定ねじのねじ込みによってねじ挿通孔の周縁部が下地との間で挟着されたとき、下地面に沿うように弾性変形して前記係止部が凹溝部内に入り込むとともに、凹溝部の壁面を下地材との間で弾性係止するように形成されているので、いずれの位置にある床材でも、他の床材の固定を解除することなく固定解除および再固定可能になる。
【００１６】
すなわち、根太等の下地材上に湾曲状態の固定部を載せ、そのねじ挿通孔を介して固定ねじを下地材にねじ込んでいくと、固定部のねじ挿通孔の周縁部がねじ頭部で押えられ、固定部が下地材の受面に沿うように弾性変形して下地材に固定部が固定される。
そして、この固定部の固定状態では、立ち上がり部の上端間が広がり、係止部が従来の固定金具と同様の係止姿勢になり、床材の凹溝の壁面を係止部と下地材との間で挟着できるようになる。
【００１７】
一方、この固定部の固定状態から固定ねじを緩めていくと、固定ねじのねじ頭部によるねじ挿通孔周縁部への押圧が解除され、固定部が弾性復元力によって元の下に凸の湾曲形状に戻る。したがって、立ち上がり部の下端が上方に持ち上がるとともに、上端間が下端間より狭まる。そして、係止部が固定部の幅方向中心方向に向かって斜め上方に持ち上がる。
【００１８】
したがって、この固定金具は、従来の固定金具と同様にして床材を固定することができるとともに、床材の固定を解除する必要が生じた場合、固定を解除しようとする床材とこの床材に隣接する床材との目地にドライバー等の工具の先端部を差し込み、固定部を固定する固定ねじを緩めれば、固定部が下側に突出するように湾曲して、係止部が固定部の幅方向中心方向に向かって斜め上方に持ち上って係止部の凹溝部への係合が解除される。よって、１つの床材のみを取り外すことができる。一方、再び床材を取り付ける場合は、取り除いた床材の位置に再び床材をセットしたのち、緩めていた固定ねじを再びねじ込めば、床材の凹溝部内に係止部が嵌り込み下地材に固定される。
すなわち、この固定金具を用いれば、いずれの位置にある床材でも、他の床材の固定を解除することなく固定解除および再固定可能となる。
【図面の簡単な説明】
【００１９】
【図１】本発明にかかる固定金具の第１の実施の形態の斜視図である。
【図２】図１の固定金具の断面図である。
【図３】図１の固定金具を用いた床材の固定状態をあらわす断面図である。
【図４】図１の固定金具の、床材への固定を解除する状態をあらわす断面図である。
【図５】本発明にかかる固定金具の第２の実施の形態の斜視図である。
【図６】従来の固定金具を用いた床材の固定状態をあらわす断面図である。
【図７】従来の固定金具の斜視図である。
【発明を実施するための形態】
【００２０】
以下に、本発明を、その実施の形態をあらわす図面を参照しつつ詳しく説明する。
図１及び図２は、本発明にかかる固定金具の第１の実施の形態をあらわしている。
【００２１】
図１及び図２に示すように、この固定金具１ａは、ばね鋼板あるいはステンレス鋼板を打ち抜きプレス加工することによって形成されていて、固定部１１と、２つの立ち上がり部１２と、２つの係止部１３とを備えている。
【００２２】
固定部１１は、無負荷状態では、断面円弧状に湾曲していて、図１に示すように、中央にねじ挿通孔１１ａを備えている。
２つの立ち上がり部１２は、固定部１１が後述するように平板状に弾性変形した状態でそれぞれ固定部１１の対向する一対の側縁から略垂直に立ち上がるように設けられていて、固定部１１からその上端までの高さが固定される床材２の凹溝部２１の下側壁の厚さと略同じになっている。
【００２３】
２つの係止部１３は、それぞれ水平部１３ａと折れ曲がり部１３ｂとを備えている。
水平部１３ａは、一方の立ち上がり部１２の上端で他方の立ち上がり部１２から遠ざかる方向に立ち上がり部１２に対して直交するように延出している。
折れ曲がり部１３ｂは、水平部１３ａの先端から他方の立ち上がり部１２に向かって斜め上方に延出するように設けられている。
【００２４】
そして、この固定金具１ａは、図３に示すように、前述の従来の固定金具２００と同様にして、床材２を下地材としての根太３に固定することができる。
すなわち、根太３上に固定部１１を載せ、ねじ挿通孔１１ａを介して固定ねじ４を根太３にねじ込んでいくと、固定部１１のねじ挿通孔１１ａの周縁部がねじ頭部４１で押えられ、固定部１１が根太３の上面に沿うように弾性変形して受面である根太３の上面に沿うように略平板状になって固定部１１のねじ挿通孔１１ａの周縁部がねじ頭部４１と根太３との間で挟着固定される。
【００２５】
そして、この固定部１１の固定状態では、立ち上がり部１２の上端間が広がり、根太３の上面に対して直交するようになるとともに、係止部１３が従来の固定金具２００と同様の係止姿勢になる。
すなわち、床材２の凹溝部２１の下側壁が、係止部１３の水平部１３ａと根太３との間で挟み込込まれ、床材２が図３に示すように固定される。
【００２６】
一方、床材２と床材２の目地Ｓ内にものが落ち込んだり、床材２が破損したりして、床材２の１つを取り外す必要が生じた場合は、図４に示すように、床材２と床材２の目地Ｓからドライバー等の工具Ｄの先端部を差し入れ、取り外す床材２の一方の側縁側の固定金具１ａの固定ねじ４を緩めて、固定ねじ４のねじ頭部４１による固定部１１への押圧を解除する。
これにより、固定部１１は、図４に示すように、弾性復元力によって下側に凸の湾曲形状に戻る。そして、立ち上がり部１２の上端は、固定部１１の弾性復元に伴って、他方の立ち上がり部１２の上端との距離が近づくように移動し、係止部１３もそれに伴って固定部１１の幅方向中心方向に向かって斜め上方に持ち上って係止部１３が凹溝部２１から外側に出た状態となる。すなわち、係止部１３の凹溝部２１への係合が解除される。
【００２７】
したがって、床材２の係合が解除された側の端縁を斜め上方にスライドさせると、床材２の他方の端縁の凹溝部２１への固定金具１ａの係止部１３の係合が解除されて床材２を取り外すことができる。
【００２８】
また、目地Ｓに落ち込んだものを取り除いたのち、再び取り外した床材２を元の場所の固定する、あるいは、破損して取り除いた床材２の後に新しい床材２を固定する場合には、
床材２の一方の側縁を上方に持ち上げ、他方の側縁側を固定ねじ４を緩めていない側の固定金具１ａに向けた状態で根太３上に載せながら、固定ねじ４を緩めていない固定金具１ａ方向にスライドさせ、固定ねじ４を緩めていない固定金具１ａの係止部１３を床材２の凹溝部２１に嵌め込む。
【００２９】
つぎに、床材２の固定ねじ４を緩めた側の端部を固定金具１ａを避けながら、根太３上に載置する。
そして、固定ねじ４が緩められた固定金具１ａの固定ねじ４を目地Ｓから先端部を差し入れたドライバーＤによって固定ねじ４を根太３にねじ込み、固定部１１を再び根太３の上面に沿うように弾性変形させて、図３に示すように、係止部１３を床材２の一方の側縁の凹溝部２１内に臨ませて再取り付けされたあるいは交換された床材２を根太３に固定する。
【００３０】
この固定金具１ａは、以上のように、他の床材２を取り外さなくても、取り外したい床材２のみを簡単に取り外すことができる。しかも、取り外した床材２の再取り付け、あるいは、新しい床材２と交換を行うことできる。
したがって、目地Ｓ内に落ち込んだものを取り出す作業、あるいは、破損した床材を交換する作業を行う場合に端の床材２から順に取り外す必要がなく、従来に比べ作業性に優れるとともに、作業時間も短縮できる。
【００３１】
図５は、本発明にかかる固定金具の第２の実施の形態をあらわしている。
図５に示すように、この固定金具１ｂは、水平部１３ａの長手方向の両端縁の一部を固定部１１側に向かって直角に切り起こすことによって形成された平板状の突起１３ｃを備えている以外は、上記固定金具１ａと同様になっている。
【００３２】
この固定金具１ｂは、上記のように突起１３ｃを備えているので、固定部１１が固定ねじ４の締め込みによって根太３の上面に沿うように弾性変形し、水平部１３ａが床材２の凹溝部２１の下側壁に近づくと、突起１３ｃが凹溝部２１の下側壁に食い込むように作用する。
したがって、床材２の長手方向のズレ動きを確実に抑えることができる。
【００３３】
なお、この固定金具１ｂの場合、上記のように突起１３ｃが設けられ、この突起１３ｃが凹溝部２１の下側壁に食い込んでいるので、床材２を取り外す場合には、床材２の両側で固定金具１ｂの固定ねじ４を緩める必要がある。
【００３４】
本発明は、上記の実施の形態に限定されない。たとえば、上記の実施の形態では、
固定部にねじ挿通孔が１つであったが、長尺の場合、２つ以上設けるようにしても構わない。
また、上記の第２の実施の形態では、突起が水平部の長手方向の両端縁の一部を固定部側に向かって直角に切り起こすことによって形成されていたが、水平部の長手方向の片側の端縁に設けられていても構わないし、水平部の長手方向の中央部に設けられていても構わない。
【産業上の利用可能性】
【００３５】
本発明の固定金具は、バルコニー床等に用いられる床材を根太等の下地材に固定するために用いることができる。
【符号の説明】
【００３６】
１ａ，１ｂ  固定金具
１１  固定部
１１ａ  ねじ挿通孔
１２  立ち上がり部
１３  係止部
２  床材
２１  凹溝部
３  根太（下地材）
【図１】
2011069155.tif 000003
【図２】
2011069155.tif 000004
【図３】
2011069155.tif 000005
【図４】
2011069155.tif 000006
【図５】
2011069155.tif 000007
【図６】
2011069155.tif 000008
【図７】
2011069155.tif 000009